(57)【要約】【課題】リモコンを向けた先に各種機能設定用のカーソルを発生させる。【解決手段】前部用の受信センサー３ａ〜３ｄに入力される前部送信部２ａからの信号の照射角度に基づき前部送信部２ａの位置を、後部用の受信センサー４ａ〜４ｄに入力される後部送信部２ｂからの信号の照射角度に基づき後部送信部２ｂの位置をそれぞれ算出し、前部と後部の送信部を結んだ線の延長線と画面５との交点にカーソル６を発生または移動させる。【選択図】　図１
2004023220.tif 000002
【特許請求の範囲】
【請求項１】
リモートコントローラーによって画面上にカーソルを発生させる画像表示機器において、前記リモートコントローラーにそれぞれ異なる周波数の信号を発信する送信部を複数個もち、テレビジョンなどの画像表示機器の画面周辺にもつ前記各々の送信部に対応した複数個の受信部の検出結果に基づいて各々の送信部の位置を算出し、送信部の位置に基づいて画面上におけるリモートコントローラー先端部の向き先にカーソルを発生させることを特徴とするリモートコントロール装置。
【請求項２】
リモートコントローラーと、前記リモートコントローラーに設けられたそれぞれ異なる周波数の信号を発信する複数個の送信部と、前記送信部からの信号を受信するためにテレビジョンなどの画像表示機器の画面周辺に設けられた前記各々の送信部に対応した複数個の受信部と、前記受信部における検出結果に基づき各々の送信部の位置を算出する手段と、リモートコントローラー先端の向きを算出して画面上のカーソルを発生させる位置座標を算出する手段と、前記カーソルを発生させる位置座標を決定する手段によって算出された位置座標上にカーソルを発生及び移動させる制御手段を備えたことを特徴とするリモートコントロール装置。
【請求項３】
各送信部からの信号を受信部で受信する際、１種類の受信部で複数の異なる周波数の信号を受信し、各々の送信部の位置を算出するときに各周波数を分離して演算を行うことを特徴とする請求項１記載のリモートコントロール装置。
【請求項４】
複数の異なる周波数の信号を受信する受信部と、受信した複数の異なる周波数の信号をそれぞれ分離する周波数分離手段を備えた請求項２記載のリモートコントロール装置。
【発明の詳細な説明】
【０００１】
【発明の属する技術分野】
本発明は、テレビジョンなどのリモートコントローラーによって各種操作を行う機器に関するものである。
【０００２】
【従来の技術】
近年、テレビジョンなど映像・音響機器において多種多様な機能が開発されており、これに伴いリモートコントローラーなどの操作機器において操作ボタンの数が増加し、操作自体も複雑になっている。こうした背景の中、ユーザーが各種機能を用いる際に操作を簡略化することが求められている。
【０００３】
機器の操作を簡略化するための方法の１つとして、特開平８−１３０７７９に示すような方法がある。
【０００４】
図６は、従来のリモートコントローラーなどで画面上に各種機能の設定操作などを行うカーソルを発生させる装置のブロック図を示している。この方法では、送信部から発信される信号を画面周辺に複数個配列された受信センサーで受信し、これら受信センサーに入力される信号の強度の差を位相差に変換してその位相差により送信部が指し示すポイントの位置座標を算出し、画面上の算出された位置座標にあたる部分にカーソルを発生させるようにして、画面上のカーソル位置をリモートコントローラーを用いて所望の位置に移動させるようにしている。
【０００５】
【発明が解決しようとする課題】
上記の装置では送信部の位置を検出することはできるが、送信部先端の向きを検出することはできないので、カーソルを移動させるためには送信部先端の向きを変えるのではなく送信部自体を移動させなければならないという問題がある。例えばユーザーが画面上の１つ隅付近にカーソルを発生させるようリモートコントローラーの先端部を位置させていて対角の隅にカーソルを移動させようとする場合、リモートコントローラー先端部の向きを対角の隅に向けるだけではできず、リモートコントローラー自体を移動させなければならないという手間が発生する。
【０００６】
本発明は前記課題に鑑み、送信部先端の向きを検出し、送信部先端の向きを変えることでもカーソルを移動させることができるリモートコントロール装置を提供するものである。
【０００７】
【課題を解決するための手段】
前記の課題を解決するために、本発明のリモートコントロール装置は、リモートコントローラーにそれぞれ異なる周波数の信号を発信する送信部を複数個もち、テレビジョンなどの画面周辺にもつ前記各々の送信部に対応した複数個の受信部の検出結果に基づいて各々の送信部の位置を算出し、送信部の位置に基づいて画面上におけるリモートコントローラー先端部の向き先にカーソルを発生させることを特徴としたリモートコントロール装置である。
【０００８】
【発明の実施の形態】
本発明の請求項１に記載の発明は、リモートコントローラーによって画面上にカーソルを発生させる機器において、前記リモートコントローラーにそれぞれ異なる周波数の信号を発信する送信部を複数個もち、テレビジョンなどの画面周辺にもつ前記各々の送信部に対応した複数個の受信部の検出結果に基づいて各々の送信部の位置を算出し、送信部の位置に基づいて画面上におけるリモートコントローラー先端部の向き先にカーソルを発生させることを特徴としたものであり、例えばユーザーが画面上の１つ隅付近にカーソルを発生させるようリモートコントローラーの先端部を位置させていて対角の隅にカーソルを移動させようとする場合、リモートコントローラー先端部の向きを対角の隅に向けるだけででき、リモートコントローラーを移動させなければならないという手間を省くことができる。
【０００９】
本発明の請求項３に記載の発明は、前記リモートコントロール装置において各送信部からの信号を受信部で受信する際、１種類の受信部で複数の異なる周波数の信号を受信し、各々の送信部の位置を算出するときに各周波数を分離して演算を行うことを特徴としたものであり、異なる周波数の信号を検出する受信機を１種類に統合することができるので、部品点数の削減を図ることができる。
【００１０】
（実施の形態１）
以下、本発明の一実施の形態について図１、図２、図３を用いて説明する。例として、テレビジョンのリモートコントロールシステムを示す。
【００１１】
図１は本発明におけるリモートコントロール装置の概略図を示しており、１はリモートコントローラー、２ａ、２ｂは前述のリモートコントローラーに設けられたそれぞれ異なる周波数の信号を発信する前部送信部及び後部送信部、３ａ〜３ｄは前述の前部送信部から発信された信号を受信する画面周辺に設けられた複数個の前部送信部用の受信センサー、４ａ〜４ｄは前述の後部送信部から発信された信号を受信する画面周辺に設けられた複数個の後部送信部用の受信センサー、５はテレビジョンなどの画面、６は前述のリモートコントローラーによって発生及び移動される各種機能の設定を行うための画面上のカーソルを示している。
【００１２】
また、図２は本発明におけるリモートコントロール装置の回路ブロック図を示しており、３ａ〜３ｄ、４ａ〜４ｄはそれぞれ前述と同様に前部送信部用の受信センサー及び後部送信部用の受信センサー、９ａは前部送信部２ａの位置座標を算出する座標算出手段１、９ｂは後部送信部２ｂの位置座標を算出する座標算出手段２、１０は画面上のカーソルを位置させるべき座標を算出する座標算出手段３、１１は前記座標算出手段３１０の算出結果に基づいてカーソルを発生または移動させるカーソル移動制御手段を示している。
【００１３】
まず、リモートコントローラー１に設けられた前部送信部２ａ及び後部送信部２ｂからそれぞれ異なる周波数の信号が発信され、前部送信部２ａから発信された信号は画面５の周辺に設けられた複数個の前部送信部用の受信センサー３ａ〜３ｄに、後部送信部２ｂから発信された信号は画面５の周辺に設けられた複数個の後部送信部用の受信センサー４ａ〜４ｄにそれぞれ入力される。前部送信部用の受信センサー３ａ〜３ｄでそれぞれ前部送信部２ａから入力される信号の照射角度を後述の方法で検出し、検出された照射角度に基づいて座標算出手段１９ａによって画面５の前面空間上における前部送信部２ａの位置座標が算出される。後部送信部用の受信センサー４ａ〜４ｄでも前述の前部送信部用の受信センサー３ａ〜３ｄと同様に、それぞれ後部送信部２ｂから入力される信号の照射角度を検出し、検出された照射角度に基づいて座標算出手段２９ｂによって画面５の前面空間上における後部送信部２ｂの位置座標が算出される。座標算出手段３１０では前述において算出された前部送信部２ａと後部送信部２ｂ位置座標を基に、前部送信部２ａと後部送信部２ｂを結んだ直線の延長線を求め、リモートコントローラーの先端部の向き先としてこの延長線と画面５の交点を算出する。カーソル移動制御手段１１では、前述の前部送信部２ａと後部送信部２ｂを結んだ直線の延長線と画面５の交点にカーソル６を発生または移動させる。
【００１４】
次に、受信センサー３ａ〜３ｄ及び４ａ〜４ｄにおいて照射角度を検出する方法の一例について、図３を用いて説明する。図３において１２は受信センサー本体で、前述の３ａ〜３ｄや４ａ〜４ｄと同一のものである。１３は受信センサーの中心部、１４は送信部から発信された信号ラインの一例、１５は受信センサーの中心部１３を通る画面との垂線、１６は受信センサーの中心部１３を通る画面の上下方向に水平な直線である。送信部から発信された信号が受信センサーの中心部１３に向かって１４の方向から入力される場合、入力される信号線と受信センサーの中心部１３を通る画面と垂線１５との角度をρ、入力される信号線の直線を画面と同一平面上に投影した直線と受信センサーの中心部１３を通る画面の上下方向に水平な直線１６との角度をθとすると、この受信センサー本体１２に入力される照射角度は、前述のρとθの２値として検出される。なお、本実施の形態においてはρとθの２値によって照射角度を検出する方法としたが、受信センサーからの照射角度が検出できるものであればどのような方法を用いてもよい。
【００１５】
（実施の形態２）
次に、本発明の別の一実施の形態について図４、図５を用いて説明する。なお、前述した実施の形態と同じ構成については同じ符号を用い、説明を省略する。
【００１６】
図４において、７ａ〜７ｄは前部送信部２ａ及び後部送信部２ｂから発信された信号を受信する画面周辺に設けられた複数個の前部及び後部送信部兼用の受信センサーを示している。
【００１７】
また図５において、８ａ〜８ｄは受信センサー７ａ〜７ｄにおいて異なる周波数で入力された信号を各周波数ごとに分離する周波数分離手段である。
【００１８】
リモートコントローラーの前部送信部２ａ及び後部送信部２ｂからそれぞれ異なる周波数で発信された信号は、前部及び後部送信部兼用の受信センサー７ａ〜７ｄに入力される。受信センサー７ａ〜７ｄではそれぞれ前部送信部２ａ及び後部送信部２ｂからの信号の照射角度が検出され、周波数分離手段８ａ〜８ｄに入力される。周波数分離手段８ａ〜８ｄでは前部送信部２ａから発信される信号の周波数と後部送信部２ｂから発信される信号の周波数を分離し、それぞれ９ａ座標算出手段１及び９ｂ座標算出手段２に入力され、前述と同様の方法で前部送信部２ａと後部送信部２ｂの位置座標を算出し、これに基づいてカーソルの位置座標が算出されて画面上に表示される。
【００１９】
【発明の効果】
本発明のリモートコントロール装置によれば、画面上においてリモートコントローラー先端部の向き先にカーソルを位置させるので、例えばユーザーが画面上の１つ隅付近にカーソルを発生させるようリモートコントローラーの先端部を位置させていて対角の隅にカーソルを移動させようとする場合、リモートコントローラー先端部の向きを対角の隅に向けるだけででき、リモートコントローラーを移動させなければならないという手間が不要になり、機器をユーザーにとって使い勝手の良いものにすることができる。
【００２０】
また実施の形態２の発明では、異なる周波数の信号を検出する受信部を１種類に統合することができるので、部品点数の削減を図ることができ、機器のコストダウンを実現することができる。
【図面の簡単な説明】
【図１】本発明の実施の形態１におけるリモートコントロール装置の概略図
【図２】本発明の実施の形態１におけるリモートコントロール装置の回路ブロック図
【図３】図１において受信センサーの照射角度を検出する方法の一例を示す図
【図４】本発明の実施の形態２におけるリモートコントロール装置の概略図
【図５】本発明の実施の形態２におけるリモートコントロール装置の回路ブロック図
【図６】従来のリモートコントロール装置のブロック図
【符号の説明】
１　リモートコントローラー
２ａ　リモートコントローラーの前部送信部
２ｂ　リモートコントローラーの後部送信部
３ａ〜３ｄ　前部送信部用の受信センサー
４ａ〜４ｄ　後部送信部用の受信センサー
５　テレビジョンなどの画面
６　画面上のカーソル
７ａ〜７ｄ　前部及び後部送信部兼用の受信センサー
８ａ〜８ｄ　周波数分離手段
９ａ　座標算出手段１
９ｂ　座標算出手段２
１０　座標算出手段３
１１　カーソル移動手段
１２　受信センサー本体
１３　受信センサー中心部
１４　送信部から発信された信号ライン
１５　受信センサーの中心を通り画面と同一平面に対する垂線
１６　受信センサーの中心を通り画面の上下方向に平行な直線
【図１】
2004023220.tif 000003
【図２】
2004023220.tif 000004
【図３】
2004023220.tif 000005
【図４】
2004023220.tif 000006
【図５】
2004023220.tif 000007
【図６】
2004023220.tif 000008